【手続補正書】
【提出日】平成28年7月1日(2016.7.1)
【手続補正１】
【補正対象書類名】特許請求の範囲
【補正対象項目名】全文
【補正方法】変更
【補正の内容】
【特許請求の範囲】
【請求項１】
画像を符号化する画像符号化装置であって、
少なくとも量子化処理を行って画像を符号化するか、又は、前記量子化処理を行わずに画像を符号化する符号化手段
を有し、
前記符号化手段は、
前記量子化処理を行わずに画像を符号化する場合、前記画像に含まれる画素単位で所定の処理を行って画像を符号化する第１の符号化処理を行うかどうか決定し、
前記第１の符号化処理を行うと決定した場合、前記第１の処理を行ったかを特定可能な情報を符号化する
ことを特徴とする画像符号化装置。
【請求項２】
前記符号化手段は、前記第１の符号化処理を行なわないと決定した場合、前記画像に含まれるブロック単位でイントラ予測処理を行って画像を符号化する第２の符号化処理を行う
ことを特徴とする請求項１に記載の画像符号化装置。
【請求項３】
前記符号化手段は、前記第１の符号化処理を行うと決定した場合、前記第１の符号化処理を行う
ことを特徴とする請求項１又は２に記載の画像符号化装置。
【請求項４】
前記所定の処理は前記画素単位で行われる予測処理である
ことを特徴とする請求項１〜３のいずれか１項に記載の画像符号化装置。
【請求項５】
前記所定の処理はＤＰＣＭ予測処理である
ことを特徴とする請求項１〜４のいずれか１項に記載の画像符号化装置。
【請求項６】
前記画像を符号化することにより生成された符号化データと、前記第１の処理を行ったかを特定可能な前記情報とを含むビットストリームを生成する生成手段
を有し、
前記第１の処理を行ったかを特定可能な前記情報は、前記ビットストリームのシーケンスヘッダに含まれる
ことを特徴とする請求項１〜５のいずれか１項に記載の画像符号化装置。
【請求項７】
前記符号化手段は、少なくとも前記量子化処理を行って画像をロッシー符号化するか、又は、前記量子化処理を行わずに画像をロスレス符号化する
ことを特徴とする請求項１〜６のいずれか１項に記載の画像符号化装置。
【請求項８】
前記符号化手段は、
前記量子化処理を行って画像を符号化する場合、エントロピー符号化を行って画像を符号化し、
前記量子化処理を行わずに画像を符号化する場合もエントロピー符号化を行って画像を符号化する
ことを特徴とする請求項１〜７のいずれか１項に記載の画像符号化装置。
【請求項９】
前記符号化手段は、前記量子化処理を行わずに画像を符号化したかを特定可能な情報を符号化する
ことを特徴とする請求項１〜８のいずれか１項に記載の画像符号化装置。
【請求項１０】
画像を符号化して生成された符号化データを含むビットストリームを復号する画像復号装置であって、
少なくとも量子化処理を行って符号化された符号化データ、又は、前記量子化処理を行わずに符号化された符号化データを復号する復号手段と、
画素単位で所定の処理を行って符号化された符号化データであるかを特定可能な情報を前記ビットストリームから導出する導出手段と
を有し、
前記復号手段は、
前記量子化処理を行わずに符号化された前記符号化データを復号する場合、
前記導出手段によって導出される前記情報に応じて、前記符号化データを画素単位で所定の処理を行って前記符号化データを復号する第１の復号処理を行うか決定する
ことを特徴とする画像復号装置。
【請求項１１】
前記復号手段は、前記第１の復号処理を行なわないと決定した場合、前記画像に含まれるブロック単位でイントラ予測処理を行って前記符号化データを復号する第２の復号処理を行う
ことを特徴とする請求項１０に記載の画像復号装置。
【請求項１２】
前記復号手段は、前記第１の復号処理を行うと決定した場合、前記第１の復号処理を行う
ことを特徴とする請求項１０又は１１に記載の画像復号装置。
【請求項１３】
前記所定の処理は前記画素単位で行われる予測処理である
ことを特徴とする請求項１０〜１２のいずれか１項に記載の画像復号装置。
【請求項１４】
前記所定の処理はＤＰＣＭ予測処理である
ことを特徴とする請求項１０〜１３のいずれか１項に記載の画像復号装置。
【請求項１５】
前記導出手段は、前記第１の符号化データであるかを特定可能な前記情報を、前記ビットストリームのシーケンスヘッダから導出する
ことを特徴とする請求項１０〜１４のいずれか１項に記載の画像復号装置。
【請求項１６】
前記量子化処理を行って符号化された符号化データは、ロッシー符号化された符号化データであり、
前記量子化処理を行わずに符号化された符号化データは、ロスレス符号化された符号化データである
ことを特徴とする請求項１０〜１５のいずれか１項に記載の画像復号装置。
【請求項１７】
前記量子化処理を行って符号化された符号化データは、エントロピー符号化された符号化データであり、
前記量子化処理を行わずに符号化された符号化データも、エントロピー符号化された符号化データである
ことを特徴とする請求項１０〜１６のいずれか１項に記載の画像復号装置。
【請求項１８】
前記導出手段は、前記量子化処理を行わずに符号化された符号化データであるかを特定可能な情報を前記ビットストリームから導出し、
前記復号手段は、前記導出手段によって導出される、前記量子化処理を行わずに符号化された符号化データであるかを特定可能な情報に応じて、少なくとも逆量子化処理を行って符号化データを復号するか、又は、前記逆量子化処理を行わずに符号化データを復号する
ことを特徴とする請求項１０〜１７のいずれか１項に記載の画像復号装置。
【請求項１９】
画像を符号化する画像符号化方法であって、
少なくとも前記量子化処理を行って画像を符号化するか、又は、前記量子化処理を行わずに画像を符号化する符号化工程
を有し、
前記符号化工程は、
前記量子化処理を行わずに画像を符号化する場合、
前記画像に含まれる画素単位で所定の処理を行って画像を符号化する第１の符号化処理、又は、前記画像に含まれるブロック単位でイントラ予測処理を行って画像を符号化する第２の符号化処理、を行い、
前記第１の処理を行ったかを特定可能な情報を符号化する
ことを特徴とする画像符号化方法。
【請求項２０】
画像を符号化して生成された符号化データを含むビットストリームを復号する画像復号方法であって、
少なくとも量子化処理を行って符号化された符号化データ、又は、前記量子化処理を行わずに符号化された符号化データを復号する復号工程と、
画素単位で所定の処理を行って符号化された符号化データであるかを特定可能な情報を前記ビットストリームから導出する導出工程と
を有し、
前記復号工程において、
前記量子化処理を行わずに符号化された前記符号化データを復号する場合、
前記導出工程によって導出される前記情報に応じて、前記符号化データを画素単位で所定の処理を行って前記符号化データを復号する第１の復号処理、又は、前記画像に含まれるブロック単位でイントラ予測処理を行って前記符号化データを復号する第２の復号処理、を行う
ことを特徴とする画像復号方法。
【請求項２１】
請求項１〜９のいずれか１項に記載の画像符号化装置の各手段としてコンピュータを機能させることを特徴とするプログラム。
【請求項２２】
請求項１０〜１８のいずれか１項に記載の画像復号装置の各手段としてコンピュータを機能させることを特徴とするプログラム。
【手続補正２】
【補正対象書類名】明細書
【補正対象項目名】０００７
【補正方法】変更
【補正の内容】
【０００７】
本発明の画像符号化装置は、例えば、下記の構成を有する。すなわち、画像を符号化する画像符号化装置であって、少なくとも量子化処理を行って画像を符号化するか、又は、前記量子化処理を行わずに画像を符号化する符号化手段を有し、前記符号化手段は、前記量子化処理を行わずに画像を符号化する場合、前記画像に含まれる画素単位で所定の処理を行って画像を符号化する第１の符号化処理を行うかどうか決定し、前記第１の符号化処理を行うと決定した場合、前記第１の処理を行ったかを特定可能な情報を符号化する。
【手続補正３】
【補正対象書類名】明細書
【補正対象項目名】０００８
【補正方法】変更
【補正の内容】
【０００８】
本発明の画像符号化装置は、例えば、下記の構成を有する。すなわち、画像を符号化して生成された符号化データを含むビットストリームを復号する画像復号装置であって、少なくとも量子化処理を行って符号化された符号化データ、又は、前記量子化処理を行わずに符号化された符号化データを復号する復号手段と、画素単位で所定の処理を行って符号化された符号化データであるかを特定可能な情報を前記ビットストリームから導出する導出手段とを有し、前記復号手段は、前記量子化処理を行わずに符号化された前記符号化データを復号する場合、前記導出手段によって導出される前記情報に応じて、前記符号化データを画素単位で所定の処理を行って前記符号化データを復号する第１の復号処理を行うか決定する。